(57)【要約】【課題】プッシャーゲーム機であって、そのメダル投入器の改良に関するものである。【解決手段】プッシャーゲーム機１０には、フィールド１１０、カバー１２０、メダル投入器２００、プッシャー１３０を備える。メダル投入器２００には、メダルレール２１０、レールホルダー２２０、メダルホルダー２３０を備える。メダルホルダー２３０には、メダル装填溝２６０、メダルガイド部２７０、指掛け部２８０を備える。指掛け部２８０は、メダルガイド部２７０の外側に位置し、メダル装填溝２６０にメダルＭを複数枚重ね合わせて装填した状態で、最上方に位置するメダルＭに人差し指Ｆを掛け、重ね合わせた複数枚のメダルＭをメダルガイド部２７０に向かって押し付けるための親指Ｔが掛かるものである。【選択図】　　図１
2004008503.tif 000002
【特許請求の範囲】
【請求項１】
メダルが堆積可能なフィールドと、
前記フィールドを覆うカバーと、
前記カバーの外側から前記カバーを貫通して前記フィールドに向かって延び、プレーヤが投入したメダルを前記フィールドに向かって落下させるためのメダル投入器と、
前記フィールドを往復移動し、前記フィールドに堆積されたメダルを落下溝に向かって押し出すためのプッシャーとを備えるプッシャーゲーム機において、
前記メダル投入器には、
前記カバーの内外に延び、
前記カバーの外側に位置する一端部から前記カバーの内側に位置する他端部に向かって下り傾斜させ、
前記一端部にメダルを１枚投入可能な投入口を有し、
前記他端部に前記フィールドに向かって開放した排出口を有し、
前記投入口から投入されたメダルを、前記下り傾斜を利用して、円周方向に回転させながら前記排出口から落下させる中空なメダルレールと、
前記メダルレールの長さの途中を、前記カバーに対して左右方向に回転可能に支持するレールホルダーと、
前記メダルレールの一端部に取り付けられ、メダルを複数枚保持可能なメダルホルダーとを備え、
前記投入口は、メダルの厚み以上で、且つ前記厚みの２倍未満の幅を有し、
前記メダルホルダーには、
溝であって、その溝の一端部を側方に開放させ、当該一端部から他端部に向かって下り傾斜させ、傾斜下端が前記投入口の幅方向の一方の縁部に臨み、前記投入口に平行にメダルを複数枚、厚み方向に重ね合わせた状態で載置可能なメダル装填溝と、
前記投入口の幅方向の他方の縁部に沿って上方に延びるメダルガイド部と、
前記メダルガイド部の外側に位置し、前記メダル装填溝にメダルを複数枚重ね合わせて装填した状態で、最上方に位置するメダルに人差し指を掛け、前記重ね合わせた複数枚のメダルをメダルガイド部に向かって押し付けるための親指が掛かる指掛け部とを備えていることを特徴とするプッシャーゲーム機。
【請求項２】
請求項１に記載のプッシャーゲーム機において、
前記メダル装填溝には、
底面と、
前記底面の両端部から上方に向かって開いた一対の傾斜側面とを有することを特徴とするプッシャーゲーム機。
【請求項３】
請求項１又は請求項２に記載のプッシャーゲーム機において、
前記メダルガイド部のメダルと接触する面が、平滑であることを特徴とするプッシャーゲーム機。
【請求項４】
請求項１〜３のいずれか１項に記載のプッシャーゲーム機において、
前記レールホルダーには、
回転角度を規制するための弾性を有するストッパーを備えていることを特徴とするプッシャーゲーム機。
【請求項５】
請求項１〜４のいずれか１項に記載のプッシャーゲーム機において、
前記投入口の幅と直交する全長を、規定のメダルの直径にほぼ等しく設定し、
前記メダルレールの長さの途中には、
前記規定のメダルより直径の小さなメダルを、不正なメダルとして、前記落下溝に向かって排出するためのメダルセレクターを取り付けていることを特徴とするプッシャーゲーム機。
【発明の詳細な説明】
【０００１】
【発明の属する技術分野】
この発明は、プッシャーゲーム機であって、そのメダル投入器の改良に関するものである。
【０００２】
【従来の技術】
従来、プッシャーゲーム機では、メダルを１枚１枚投入していた。
【０００３】
【発明が解決しようとする課題】
しかし、上記した従来のプッシャーゲーム機では、メダルの連続投入が困難であるという問題点があった。
そこで、各請求項にそれぞれ記載された各発明は、上記した従来の技術の有する問題点に鑑みてなされたものであり、その目的とするところは、次の点にある。
（請求項１）
すなわち、請求項１に記載の発明は、メダル投入器の改良に関し、メダルを連続投入することができるようにしたものである。
（請求項２）
請求項２に記載の発明は、上記した請求項１に記載の発明の目的に加え、次の点を目的とする。
【０００４】
すなわち、請求項２に記載の発明は、メダルのサイズが異なる場合にも使用することができるようにしたものである。
（請求項３）
請求項３に記載の発明は、上記した請求項１又は請求項２に記載の発明の目的に加え、次の点を目的とする。
【０００５】
すなわち、請求項３に記載の発明は、メダルをスムーズに投入することができるようにしたものである。
（請求項４）
請求項４に記載の発明は、上記した請求項１〜３のいずれか１項に記載の発明の目的に加え、次の点を目的とする。
【０００６】
すなわち、請求項４に記載の発明は、レールホルダーを回転した際の異音や振動の発生を防止することができるようにしたものである。
（請求項５）
請求項５に記載の発明は、上記した請求項１〜４のいずれか１項に記載の発明の目的に加え、次の点を目的とする。
【０００７】
すなわち、請求項５に記載の発明は、規定のメダルより直径の小さなメダルを、不正なメダルとして、落下溝を利用してプレーヤに返却することができるようにしたものである。
【０００８】
【課題を解決するための手段】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
【０００９】
また、図面番号も、発明の実施の形態において用いた図番を示し、本発明の技術的範囲を限定するものではない。
（請求項１）
請求項１に記載の発明は、次の点を特徴とする。
第一に、プッシャーゲーム機（１０）には、例えば図２〜３に示すように、次の構成を備える。
【００１０】
（１）フィールド（１１０）
フィールド（１１０）は、図示しないが、メダル（Ｍ）が堆積可能なものである。
（２）カバー（１２０）
カバー（１２０）は、例えば図２〜３に示すように、フィールド（１１０）を覆うものである。
【００１１】
（３）メダル投入器（２００）
メダル投入器（２００）は、例えば図２〜３に示すように、カバー（１２０）の外側からカバー（１２０）を貫通してフィールド（１１０）に向かって延び、プレーヤが投入したメダル（Ｍ）をフィールド（１１０）に向かって落下させるためのものである。
（４）プッシャー（１３０）
プッシャー（１３０）は、例えば図３に示すように、フィールド（１１０）を往復移動し、フィールド（１１０）に堆積されたメダル（Ｍ）を落下溝（１４０）に向かって押し出すためのものである。
【００１２】
第二に、メダル投入器（２００）には、例えば図３及び図５に示すように、次の構成を備える。
（５）メダルレール（２１０）
メダルレール（２１０）は、例えば図３に示すように、中空で、カバー（１２０）の内外に延び、カバー（１２０）の外側に位置する一端部からカバー（１２０）の内側に位置する他端部に向かって下り傾斜させたものである。
【００１３】
メダルレール（２１０）は、例えば図５に示すように、一端部にメダル（Ｍ）を１枚投入可能な投入口（２１１）を有する。
メダルレール（２１０）は、例えば図３及び図５に示すように、他端部にフィールド（１１０）に向かって開放した排出口（２１２）を有する。
メダルレール（２１０）は、投入口（２１１）から投入されたメダル（Ｍ）を、下り傾斜を利用して、円周方向に回転させながら排出口（２１２）から落下させるものである。
【００１４】
（６）レールホルダー（２２０）
レールホルダー（２２０）は、例えば図３及び図５に示すように、メダルレール（２１０）の長さの途中を、カバー（１２０）に対して左右方向に回転可能に支持するものである。
（７）メダルホルダー（２３０）
メダルホルダー（２３０）は、例えば図１及び図３に示すように、メダルレール（２１０）の一端部に取り付けられ、メダル（Ｍ）を複数枚保持可能なものである。
【００１５】
第三に、投入口（２１１）は、メダル（Ｍ）の厚み以上で、且つ厚みの２倍未満の幅を有する。
第四に、メダルホルダー（２３０）には、例えば図１及び図３に示すように、次の構成を備える。
（８）メダル装填溝（２６０）
メダル装填溝（２６０）は、例えば図１及び図８に示すように、溝であって、その溝の一端部を側方に開放させ、当該一端部から他端部に向かって下り傾斜させ、傾斜下端が投入口（２１１）の幅方向の一方の縁部に臨み、投入口（２１１）に平行にメダル（Ｍ）を複数枚、厚み方向に重ね合わせた状態で載置可能なものである。
【００１６】
（９）メダルガイド部（２７０）
メダルガイド部（２７０）は、例えば図１及び図８に示すように、投入口（２１１）の幅方向の他方の縁部に沿って上方に延びるものである。
（１０）指掛け部（２８０）
指掛け部（２８０）は、例えば図１及び図９に示すように、メダルガイド部（２７０）の外側に位置し、メダル装填溝（２６０）にメダル（Ｍ）を複数枚重ね合わせて装填した状態で、最上方に位置するメダル（Ｍ）に人差し指（Ｆ）を掛け、重ね合わせた複数枚のメダル（Ｍ）をメダルガイド部（２７０）に向かって押し付けるための親指（Ｔ）が掛かるものである。
（請求項２）
請求項２に記載の発明は、上記した請求項１に記載の発明の特徴点に加え、次の点を特徴とする。
【００１７】
すなわち、メダル装填溝（２６０）には、例えば図１に示すように、次の構成を有する。
（１）底面（２６１）
（２）傾斜側面（２６２）
傾斜側面（２６２）は、例えば図１に示すように、一対有り、底面（２６１）の両端部から上方に向かって開いたものである。
（請求項３）
請求項３に記載の発明は、上記した請求項１又は請求項２に記載の発明の特徴点に加え、次の点を特徴とする。
【００１８】
すなわち、メダルガイド部（２７０）のメダル（Ｍ）と接触する面が、平滑である。
（請求項４）
請求項４に記載の発明は、上記した請求項１〜３のいずれか１項に記載の発明の特徴点に加え、次の点を特徴とする。
すなわち、レールホルダー（２２０）には、例えば図７に示すように、ストッパー（２５０）を備える。
【００１９】
ストッパー（２５０）は、回転角度を規制するための弾性を有するものである。
（請求項５）
請求項５に記載の発明は、上記した請求項１〜４のいずれか１項に記載の発明の特徴点に加え、次の点を特徴とする。
第一に、投入口（２１１）の幅と直交する全長を、規定のメダル（Ｍ）の直径にほぼ等しく設定する。
【００２０】
第二に、メダルレール（２１０）の長さの途中には、例えば図３に示すように、メダルセレクター（２４０）を備える。
メダルセレクター（２４０）は、規定のメダル（Ｍ）より直径の小さなメダル（Ｍ）を、不正なメダル（Ｍ）として、落下溝（１４０）に向かって排出するためのものである。
【００２１】
【発明の実施の形態】
（図面の説明）
図１〜９は、本発明の実施の形態の一例をそれぞれ示すものである。
図１は、メダル投入器の斜視図、図２はプッシャーゲーム機の斜視図、図３はメダル投入器の側面図、図４はメダル投入器の他の側面図、図５はメダル投入器の平面図、図６はメダル投入器の正面図、図７は図６のＶＩＩ−ＶＩＩに沿う断面図、図８は図３のＶＩＩＩ−ＶＩＩＩに沿う断面図、図９はメダル投入器の使用状態を示す平面図をそれぞれ示すものである。
（プッシャーゲーム機１０）
図２中、１０は、メダルＭを使用したプッシャーゲーム機を示すものである。
【００２２】
プッシャーゲーム機１０には、図２に示すように、大別すると、次のパーツを備える。
（１）ゲーム機本体１００
（２）メダル投入器２００
なお、プッシャーゲーム機１０のパーツは、上記した（１）〜（２）に限定されない。
（メダルＭ）
メダルＭには、図示しないが、次の種類がある。
【００２３】
なお、メダルＭの種類は、次の（１）〜（２）に限定されない。
（１）大径なメダルＭ
大径なメダルＭの直径は、例えば２４．３ｍｍで、厚みは、例えば１．６ｍｍに設定されている。なお、大径なメダルＭの直径は、２４．３ｍｍに限定されず、又、厚みも、１．６ｍｍに限定されない。
【００２４】
（２）小径なメダルＭ
小径なメダルＭの直径は、例えば２１ｍｍで、厚みは、例えば２．１ｍｍに設定されている。なお、小径なメダルＭの直径は、２１ｍｍに限定されず、又、厚みも、２．１ｍｍに限定されない。
（ゲーム機本体１００）
ゲーム機本体１００には、図２及び図３に示すように、大別すると、次のパーツを備える。
【００２５】
（１）フィールド１１０
（２）カバー１２０
（３）プッシャー１３０
（４）落下溝１４０
（５）メダル払出口１５０
なお、ゲーム機本体１００のパーツは、上記した（１）〜（５）に限定されない。
（メダル投入器２００）
メダル投入器２００は、図３に示すように、カバー１２０の外側からカバー１２０を貫通してフィールド１１０に向かって延び、プレーヤが投入したメダルＭをフィールド１１０に向かって落下させるためのものである。
【００２６】
具体的には、メダル投入器２００には、図３に示すように、大別すると、次のパーツを備える。
（１）メダルレール２１０
（２）レールホルダー２２０
（３）メダルホルダー２３０
なお、メダル投入器２００のパーツは、上記した（１）〜（３）に限定されない。
（フィールド１１０）
フィールド１１０は、図示しないが、メダルＭが堆積可能なものである。
（カバー１２０）
カバー１２０は、図２及び図３に示すように、フィールド１１０を覆うものである。
【００２７】
具体的には、カバー１２０は、透明や半透明なガラス板やプラスチック板から構成されている。
（プッシャー１３０）
プッシャー１３０は、図３に示すように、フィールド１１０を往復移動し、フィールド１１０に堆積されたメダルＭを落下溝１４０に向かって押し出すためのものである。
（落下溝１４０）
落下溝１４０は、メダルＭが落下可能なものであり、図３に示すように、フィールド１１０の手前側の縁に沿って位置する。
（メダル払出口１５０）
メダル払出口１５０は、図２に示すように、ゲーム機本体１００の下側に位置し、落下溝１４０から落下したメダルＭが払い出される。
（メダルレール２１０）
メダルレール２１０は、図３に示すように、中空で、カバー１２０の内外に延び、カバー１２０の外側に位置する一端部からカバー１２０の内側に位置する他端部に向かって下り傾斜させたものである。
【００２８】
具体的には、メダルレール２１０を、例えば２５度、傾斜させている。なお、メダルレール２１０の傾斜角度は、２５度に限定されない。
メダルレール２１０は、後述するが、投入口２１１から投入されたメダルＭを、下り傾斜を利用して、円周方向に回転させながら排出口２１２から落下させるものである。
【００２９】
なお、メダルＭを円周方向に回転させると説明したが、必ずしも回転に限定されず、メダルＭが回転せずに、円周方向に滑りながら下降しても良い。
具体的には、メダルレール２１０には、図３及び図５に示すように、大別すると、次の部分を備える。
なお、メダルレール２１０の部分は、次の（１）〜（３）に限定されない。
【００３０】
（１）投入口２１１
投入口２１１は、図１及び図５に示すように、メダルレール２１０のカバー１２０の外側に位置する一端部に位置し、メダルＭを１枚投入可能なものである。
具体的には、投入口２１１は、メダルＭの厚み以上で、且つ厚みの２倍未満の幅を有する。投入口２１１の幅は、例えば２．１ｍｍに設定されている。なお、投入口２１１の幅は、２．１ｍｍに限定されない。
【００３１】
投入口２１１の幅と直交する全長を、規定のメダルの直径にほぼ等しく設定する。具体的には、投入口２１１の全長を、例えば２６ｍｍに設定している。なお、投入口２１１の全長は、２６ｍｍに限定されない。
（２）排出口２１２
排出口２１２は、図３及び図５に示すように、カバー１２０の内側に位置する他端部に位置し、フィールド１１０に向かって開放したものである。
【００３２】
（３）メダルセレクター２４０
メダルセレクター２４０は、規定のメダルＭより直径の小さなメダルＭを、不正なメダルＭとして、落下溝１４０に向かって排出するためのものである。落下溝１４０に向かって排出された不正なメダルＭは、メダル払出口１５０を介して返却される。
【００３３】
具体的には、基準としては直径２４ｍｍ以下のメダルＭを、不正なメダルＭとして返却している。なお、不正なメダルＭは、直径２４ｍｍ以下に限定されない。
（レールホルダー２２０）
レールホルダー２２０は、図３及び図５に示すように、メダルレール２１０の長さの途中を、カバー１２０に対して左右方向に回転可能に支持するものである。
【００３４】
具体的には、レールホルダー２２０には、図３及び図７に示すように、大別すると、次の部分を備える。
なお、レールホルダー２２０の部分は、次の（１）〜（２）に限定されない。
（１）軸２２１
軸２２１は、図３及び図５に示すように、上下に一対有り、レールホルダー２２０を左右方向に回転可能に支持するものである。
【００３５】
（２）ストッパー２５０
ストッパー２５０は、回転角度を規制するための弾性を有するものである。
具体的には、ストッパー２５０に、例えばクッション・ゴムを使用している。なお、ストッパー２５０は、クッション・ゴムに限定されない。
メダルホルダー２３０の回転角度は、例えば３０度に規制している。なお、メダルホルダー２３０の回転角度は、３０度に限定されない。
（メダルホルダー２３０）
メダルホルダー２３０は、図１及び図３に示すように、メダルレール２１０の一端部に取り付けられ、メダルＭを複数枚保持可能なものである。
【００３６】
具体的には、メダルホルダー２３０には、図１に示すように、大別すると、次の部分を備える。
（１）メダル装填溝２６０
（２）メダルガイド部２７０
（３）指掛け部２８０
なお、メダルホルダー２３０の部分は、上記した（１）〜（３）に限定されない。
（メダル装填溝２６０）
メダル装填溝２６０は、図１及び図８に示すように、溝であって、その溝の一端部を側方に開放させ、当該一端部から他端部に向かって下り傾斜させ、傾斜下端が投入口２１１の幅方向の一方の縁部に臨み、投入口２１１に平行にメダルＭを複数枚、厚み方向に重ね合わせた状態で載置可能なものである。
【００３７】
具体的には、メダル装填溝２６０の傾斜角度を、３度に設定している。なお、メダル装填溝２６０の傾斜角度は、３度に限定されない。
メダル装填溝２６０は、金属製で、図１に示すように、台形形に凹んでいる。メダル装填溝２６０の全長を、例えば３０ｍｍに設定し、例えば２１枚程度のメダルＭを装填可能としている。なお、メダル装填溝２６０の全長は、３０ｍｍに限定されず、又、メダルＭの装填枚数も、２１枚に限定されない。
【００３８】
また、メダル装填溝２６０の最大の開口幅は、投入口２１１の全長に等しく、例えば２６ｍｍに設定されている。なお、メダル装填溝２６０の最大の開口幅は、２６ｍｍに限定されない。
さらに、メダル装填溝２６０の深さは、例えば８ｍｍに設定されている。なお、メダル装填溝２６０の深さは、８ｍｍに限定されない。
【００３９】
メダル装填溝２６０は、メダルＭの大きさに応じて、交換することができるようにしている。
メダル装填溝２６０には、図１に示すように、大別すると、次の部分を備える。
なお、メダル装填溝２６の部分は、次の（１）〜（３）に限定されない。
（１）底面２６１
底面２６１は、その幅を、例えば１０ｍｍに設定している。なお、底面２６１の幅は、１０ｍｍに限定されない。
【００４０】
（２）傾斜側面２６２
傾斜側面２６２は、図１に示すように、一対有り、底面２６１の両端部から上方に向かって開いたものである。
具体的には、傾斜側面２６２は、底面２６１に対して、例えば３０〜４０度の角度で立ち上がり、幅は、例えば１０ｍｍに設定されている。傾斜側面２６２の傾斜角度は、３０〜４０度に限定されず、又、幅も１０ｍｍに限定されない。
【００４１】
（３）起立部２６３
起立部２６３は、図１に示すように、一対有り、各傾斜側面２６２の上縁からほぼ垂直にそれぞれ起立している。具体的には、起立部２６３の高さを、例えば２〜４ｍｍに設定している。なお、起立部２６３の高さは、２〜４ｍｍに限定されない。
（メダルガイド部２７０）
メダルガイド部２７０は、図１及び図８に示すように、投入口２１１の幅方向の他方の縁部に沿って上方に延びるものである。
【００４２】
具体的には、メダルガイド部２７０のメダルと接触する面を、平滑にしている。
メダルガイド部２７０は、金属製で、円盤形に形成されている。具体的には、メダルガイド部２７０の直径を、例えば２８ｍｍに、厚みを、例えば１ｍｍに設定している。
なお、メダルガイド部２７０の直径は、本実施の形態では２８ｍｍに固定されているが、２８ｍｍに限定されず、又、厚みも、本実施の形態では１ｍｍに固定されているが、１ｍｍに限定されない。
（指掛け部２８０）
指掛け部２８０は、図１及び図９に示すように、メダルガイド部２７０の外側に位置し、メダル装填溝２６０にメダルＭを複数枚重ね合わせて装填した状態で、最上方に位置するメダルＭに人差し指Ｆを掛け、重ね合わせた複数枚のメダルＭをメダルガイド部２７０に向かって押し付けるための親指Ｔが掛かるものである。
【００４３】
具体的には、指掛け部２８０は、図１に示すように、半円形に突出し、その直径を、例えば３５ｍｍに、又、厚みを、例えば９ｍｍに設定している。
なお、指掛け部２８０の直径は、本実施の形態では３５ｍｍに固定されているが、３５ｍｍに限定されず、又、厚みも、本実施の形態では９ｍｍに固定されているが、９ｍｍに限定されない。
（メダル投入器２００の使用方法）
上記した構成を備えるプッシャーゲーム機１０のメダル投入器２００の使用方法について、以下に説明する。
【００４４】
図９に示すように、メダル装填溝２６０にメダルＭを複数枚重ね合わせて装填し、重ね合わせた複数枚のメダルＭの最上方に位置するメダルＭに右手の人差し指Ｆを掛け、指掛け部２８０に同じ右手の親指Ｔを掛ける。
この状態で、人差し指Ｆと親指Ｔとで、重ね合わせた複数枚のメダルＭを強く挟み付ける。
【００４５】
強く挟み付けると、傾斜下端のメダルＭが、メダルガイド部２７０に押し付けられて、投入口２１１から落下しない。
上記強く挟み付けた状態から、挟み付ける力を一瞬、緩めると、傾斜下端のメダルＭが投入口２１１から１枚、落下する。
こうして、強く挟み付けた状態と、挟み付ける力を一瞬、緩めた状態とを交互に繰り返すことで、傾斜下端のメダルＭが投入口２１１から１枚１枚落下し、メダル装填溝２６０に装填したメダルＭを、短時間に連続的に投入することができる。
【００４６】
なお、右手の人差し指ＦをメダルＭに掛けたが、人差し指Ｆと中指との２本をメダルＭに掛けても良いし、或いは、人差し指Ｆに代えて、中指だけをメダルＭに掛けても良い。
また、右手で操作したが、逆に左手で操作しても良い。左手で操作する場合には、左手の親指をメダルＭに掛け、同じ左手の人差し指を指掛け部２８０に掛けることとなる。
【００４７】
【発明の効果】
本発明は、以上のように構成されているので、以下に記載されるような効果を奏する。
（請求項１）
請求項１に記載の発明によれば、次のような効果を奏する。
【００４８】
すなわち、請求項１に記載の発明によれば、メダル投入器の改良に関し、メダルを連続投入することができる。
（請求項２）
請求項２に記載の発明は、上記した請求項１に記載の発明の効果に加え、次のような効果を奏する。
【００４９】
すなわち、請求項２に記載の発明によれば、メダルのサイズが異なる場合にも使用することができる。
（請求項３）
請求項３に記載の発明によれば、上記した請求項１又は請求項２に記載の発明の効果に加え、次のような効果を奏する。
【００５０】
すなわち、請求項３に記載の発明によれば、メダルをスムーズに投入することができる。
（請求項４）
請求項４に記載の発明によれば、上記した請求項１〜３のいずれか１項に記載の発明の効果に加え、次のような効果を奏する。
【００５１】
すなわち、請求項４に記載の発明によれば、レールホルダーを回転した際の異音や振動の発生を防止することができる。
（請求項５）
請求項５に記載の発明によれば、上記した請求項１〜４のいずれか１項に記載の発明の効果に加え、次のような効果を奏する。
【００５２】
すなわち、請求項５に記載の発明によれば、規定のメダルより直径の小さなメダルを、不正なメダルとして、落下溝を利用してプレーヤに返却することができる。
【図面の簡単な説明】
【図１】メダル投入器の斜視図である。
【図２】プッシャーゲーム機の斜視図である。
【図３】メダル投入器の側面図である。
【図４】メダル投入器の他の側面図である。
【図５】メダル投入器の平面図である。
【図６】はメダル投入器の正面図である。
【図７】図６のＶＩＩ−ＶＩＩに沿う断面図である。
【図８】図３のＶＩＩＩ−ＶＩＩＩに沿う断面図である。
【図９】メダル投入器の使用状態を示す平面図である。
【符号の説明】
１０　プッシャーゲーム機　　　１００　ゲーム機本体
１１０　フィールド　　　　　　　１２０　カバー
１３０　プッシャー　　　　　　　１４０　落下溝
１５０　メダル払出口　　　　　　２００　メダル投入器
２１０　メダルレール　　　　　　２１１　投入口
２１２　排出口　　　　　　　　　２２０　レールホルダー
２２１　軸　　　　　　　　　　　２３０　メダルホルダー
２４０　メダルセレクター　　　　２５０　ストッパー
２６０　メダル装填溝　　　　　　２６１　底面
２６２　傾斜側面　　　　　　　　２６３　起立部
２７０　メダルガイド部　　　　　２８０　指掛け部
Ｍ　メダル　　　　　　　　　Ｆ　人差し指
Ｔ　親指
【図１】
2004008503.tif 000003
【図２】
2004008503.tif 000004
【図３】
2004008503.tif 000005
【図４】
2004008503.tif 000006
【図５】
2004008503.tif 000007
【図６】
2004008503.tif 000008
【図７】
2004008503.tif 000009
【図８】
2004008503.tif 000010
【図９】
2004008503.tif 000011